(57)【要約】【課題】家庭内のテレビラック等の中にコンパクトに収納された上で、普通紙および普通紙以外の物体に印刷することのできるインクジェット記録装置を提供することを目的とする。【解決手段】ディスクトレイ２０は、印刷方向及びトレイ排出方向に移動可能に設けられ、ディスク２２の挿抜時にはディスクトレイ２０がトレイ排出方向に搬送されてインクジェット記録装置１０の外部へ移動し、ディスク２２の挿抜時以外はインクジェット記録装置１０の内部にディスクトレイ２０が収納されている構成とした。このように、ディスクトレイ２０の搬送を２方向に分割したため、印刷方向における小型化が可能となり、家庭内のテレビラック等の中にコンパクトに収納することが可能となる。【選択図】　図５
2004034637.tif 000002
【特許請求の範囲】
【請求項１】
インクジェット記録装置内に収納されて第一の記録媒体を載置する媒体保持板と、前記媒体保持板を第一の方向に沿って往復搬送する第一の搬送系と、インクジェット記録装置内に収納されて第二の記録媒体を載置すると共に前記媒体保持板と略平行に設けられた媒体トレイと、前記第二の記録媒体を搬送する第二の搬送系と、前記第一の搬送系により前記第一の方向に沿って搬送される前記媒体保持板上の前記第一の記録媒体、および、前記第二の搬送系により搬送される前記第二の記録媒体に向かってインクを吐出する記録ヘッドと、前記媒体保持板を前記第一の方向と直交する第二の方向に沿って搬送し、インクジェット記録装置の前面における前記媒体保持板の突出状態と格納状態とを切り替えるローディング機構と、前記媒体トレイと平行に設けられ、前記記録ヘッドによりインクを吐出された前記第二の記録媒体を収納する排出トレイとを備え、前記媒体トレイ、前記排出トレイ、前記媒体保持板への操作は前記インクジェット記録装置の前記前面にて行なうことを特徴とするインクジェット記録装置。
【請求項２】
前記第一の搬送系と前記第二の搬送系は少なくとも１つの搬送ローラを共有することを特徴とする請求項１記載のインクジェット記録装置。
【請求項３】
前記ローディング機構は、前記インクジェット記録装置に設けられたモータと、前記モータにより駆動されるピニオンと、前記ピニオンと噛合可能に前記媒体保持板に設けられたギアを含むことを特徴とする請求項１または請求項２記載のインクジェット記録装置。
【請求項４】
前記ローディング機構は、前記ピニオンの軸心に対して前記第一の方向にずれた軸心を有するアイドルギアを前記ギアと前記ピニオンとの間に有することを特徴とする請求項１乃至請求項３のいずれかに記載のインクジェット記録装置。
【請求項５】
前記第一の搬送系は前記媒体保持板を前記第一の方向に沿って搬送する媒体保持板搬送ローラを備え、前記媒体保持板搬送ローラには前記第二の方向に傾斜するテーパが形成されており、前記媒体保持板の前記突出状態から前記格納状態へ切り替えて前記媒体保持板と前記媒体保持板搬送ローラが接触する際に、前記媒体保持板は前記テーパに誘導されることを特徴とする請求項１乃至請求項４のいずれかに記載のインクジェット記録装置。
【請求項６】
前記第一の搬送系は、前記搬送ローラと対向するピンチローラを備えると共に、前記媒体保持板が前記第二の方向に沿った搬送から前記第一の方向に沿った搬送へ移行した場合において前記媒体保持板の搬送方向先端部が前記搬送ローラと前記ピンチローラ間を通過する際に前記搬送ローラと前記ピンチローラ間の距離を変更するピンチローラ距離変更機構を備えることを特徴とする請求項２乃至請求項５のいずれかに記載のインクジェット記録装置。
【請求項７】
前記第二の搬送系は拍車を備え、前記第二の記録媒体の搬送時には前記拍車と前記第二の記録媒体とを接触させ、前記媒体保持板の搬送時には前記拍車と前記媒体保持板が非接触となるように前記拍車を上昇させる拍車切り替え機構を備えたことを特徴とする請求項１乃至６のいずれかに記載のインクジェット記録装置。
【請求項８】
前記記録ヘッドは前記ピンチローラ距離変更機構に連結され、前記ピンチローラ距離変更機構は前記第一の記録媒体および前記第二の記録媒体と前記記録ヘッドとの距離を一定に保持することを特徴とする請求項６または請求項７記載のインクジェット記録装置。
【請求項９】
前記媒体保持板と前記媒体トレイと前記排出トレイは、少なくとも前記記録ヘッドによるインクの吐出時または排出トレイに前記第二の記録媒体が排出される時には前記インクジェット記録装置の内部に収納されていることを特徴とする請求項１乃至請求項８のいずれかに記載のインクジェット記録装置。
【請求項１０】
前記第一の記録媒体は、少なくとも光記録媒体、磁気記録媒体、電子記録媒体、プラスチックカード、樹脂製固形物、金属製固形物のいずれか１つを含むことを特徴とする請求項１乃至請求項９のいずれかに記載のインクジェット記録装置。
【請求項１１】
前記媒体保持板は前記媒体トレイの上方に設けられ、前記排出トレイは前記媒体保持板と前記媒体トレイとの間に設けることを特徴とする請求項１乃至請求項１０のいずれかに記載のインクジェット記録装置。
【請求項１２】
前記ローディング機構は、前記媒体保持板を水平方向に略９０°回転させることにより前記媒体保持板の前記第二の方向に沿った搬送を行なうことを特徴とする請求項１乃至請求項１１のいずれかに記載のインクジェット記録装置。
【請求項１３】
前記ローディング機構は、前記媒体保持板を支持するガイド部、及び、前記ガイド部に設けられて前記ピニオンと噛合する円弧状ギア部を備え、前記ピニオンと前記円弧状ギア部とが噛合して前記ガイド部が水平方向に略９０°回転することにより前記媒体保持板が前記ガイド部と共に前記第二の方向に沿って搬送され、前記ピニオンと前記媒体保持板に設けられたギアとが噛合して前記媒体保持板が前記ガイド部に対して摺動することにより前記媒体保持板が前記第一の方向に沿って搬送されることを特徴とする請求項１乃至請求項１２のいずれかに記載のインクジェット記録装置。
【請求項１４】
前記ローディング機構は、前記媒体保持板を支持するガイド部、及び、前記ガイド部に設けられて前記ピニオンと噛合する直線状ギア部を備え、前記ピニオンと前記直線状ギア部とが噛合して前記ガイド部が前記媒体保持板と共に前記第二の方向に沿って搬送され、前記ピニオンと前記媒体保持板に設けられたギアとが噛合して前記媒体保持板が前記ガイド部に対して摺動することにより前記媒体保持板が前記第一の方向に沿って搬送されることを特徴とする請求項１乃至請求項１２のいずれかに記載のインクジェット記録装置。
【発明の詳細な説明】
【０００１】
【発明の属する技術分野】
本発明は、光記録媒体や磁気記録媒体に印刷可能なインクジェット記録装置に関し、特に特定の一方向から必要な全ての操作を行うことができるインクジェット記録装置に関する。
【０００２】
【従来の技術】
近年、インクジェット記録装置（プリンタ）をコンピュータと接続するのみならず、たとえばテレビやＶＴＲなど他の機器と接続して使用するようになってきており、設置場所も机上からリビング等の人が集まる場所になりつつある。その場合、他の機器と積み重ねて使用することがあることを考慮して、インクカートリッジの着脱や記録用紙のセットおよび取り出しを装置の前面から行うものが提案されており、例えば特開２００１−１９１６１３号公報に記載のプリンタが知られている。
【０００３】
また、ＣＤ−ＲＯＭ等の携帯型データメディアに直接プリントするデジタル情報頒布システムが、例えば特開２００１−３１９０７４号公報に開示されている。
【０００４】
【発明が解決しようとする課題】
しかしながら、これら従来の装置では、家庭内のテレビラック等の中にコンパクトに収納し、且つ、ＣＤやＤＶＤ等のデータメディアに印刷することは出来なかった。
【０００５】
本発明は、上記従来の問題点に鑑み、家庭内のテレビラック等の中にコンパクトに収納された上で、ＣＤやＤＶＤ等のデータメディアに印刷することのできるインクジェット記録装置を提供することを目的とする。
【０００６】
【課題を解決するための手段】
本発明は上記目的を達成するために、第一の記録媒体を載置する媒体保持板を第一の方向に沿って往復搬送する第一の搬送系と、第二の記録媒体を載置すると共に媒体保持板と略平行に設けられた媒体トレイと、媒体保持板を第一の方向と直交する第二の方向に沿って搬送し、インクジェット記録装置の前面における媒体保持板の突出状態と格納状態とを切り替えるローディング機構と、媒体トレイと略平行に設けられ、記録ヘッドによりインクを吐出された第二の記録媒体を収納する排出トレイとを備え、媒体トレイ、排出トレイ、媒体保持板への操作はインクジェット記録装置の前面にて行なう構成とした。
【０００７】
このように、第一の記録媒体を載置する媒体保持板の搬送方向を第一の方向と第二の方向に分離することにより、インクジェット記録装置の第一の方向における小型化が可能となり、家庭内のテレビラック等の中にコンパクトに収納することができる。
【０００８】
また、媒体トレイ、排出トレイ、媒体保持板への操作はインクジェット記録装置の前面にて全て行なうと共に、インクジェット記録装置の前面における媒体保持板の突出状態と格納状態とを切り替えるローディング機構を設けるため、家庭内のテレビラック等のように収容物の前面にしか開口部がない場所にも設置が可能となる。
【０００９】
また、媒体トレイと排出トレイと媒体保持板は、各々略平行に設けられるため、インクジェット記録装置の高さ方向における小型化が可能となり、家庭内のテレビラック等の中にコンパクトに収納することができる。
【００１０】
【発明の実施の形態】
本発明のインクジェット記録装置では、第一の記録媒体を載置する媒体保持板を第一の方向に沿って往復搬送する第一の搬送系と、第二の記録媒体を載置すると共に媒体保持板と略平行に設けられた媒体トレイと、第二の記録媒体を搬送する第二の搬送系と、媒体保持板を第一の方向と直交する第二の方向に沿って搬送し、インクジェット記録装置の前面における媒体保持板の突出状態と格納状態とを切り替えるローディング機構と、媒体トレイと略平行に設けられ、記録ヘッドによりインクを吐出された第二の記録媒体を収納する排出トレイとを備え、媒体トレイ、排出トレイ、媒体保持板への操作はインクジェット記録装置の前面にて行なう構成とした。
【００１１】
記録ヘッドによる第一の録媒体への印刷時には、インクジェット記録装置の内部に収納された媒体保持板が第一の搬送系により第一の方向に搬送され、第一の記録媒体の挿抜時には媒体保持板の突出状態と格納状態とが第二の方向に沿ってローディング機構により切り替えられる。
【００１２】
また、第一の搬送系と第二の搬送系は少なくとも１つの搬送ローラを共有するようにしてもよい。
【００１３】
また、ローディング機構は、インクジェット記録装置に設けられたモータと、モータにより駆動されるピニオンと、ピニオンと噛合可能に媒体保持板に設けられたギアを含む構成としてもよい。
【００１４】
また、ローディング機構は、ピニオンの軸心に対して第一の方向にずれた軸心を有するアイドルギアを、媒体保持板に設けられたギアと前記ピニオンとの間に備える構成としてもよい。
【００１５】
また、第一の搬送系は媒体保持板を第一の方向に沿って搬送する媒体保持板搬送ローラを備え、媒体保持板搬送ローラには第二の方向に傾斜するテーパが形成されており、媒体保持板の突出状態から格納状態へ切り替えて媒体保持板と媒体保持板搬送ローラが接触する際に、媒体保持板はテーパに誘導される構成としてもよい。
【００１６】
また、第一の搬送系は、搬送ローラと対向するピンチローラと、搬送ローラとピンチローラ間の距離を変更するピンチローラ距離変更機構を備え、媒体保持板が第二の方向に沿った搬送から第一の方向に沿った搬送へ移行した場合において媒体保持板の搬送方向先端部が搬送ローラとピンチローラ間を通過する際に、搬送ローラとピンチローラ間の距離を変更するようにしてもよい。
【００１７】
また、第二の搬送系は拍車を備え、第二の記録媒体の搬送時には拍車と第二の記録媒体とを接触させ、媒体保持板の搬送時には拍車と媒体保持板が非接触となるように拍車を上昇させる拍車切り替え機構を備える構成としてもよい。
【００１８】
また、記録ヘッドはピンチローラ距離変更機構に連結され、ピンチローラ距離変更機構は第一の記録媒体および第二の記録媒体と記録ヘッドとの距離を一定に保持するようにしてもよい。
【００１９】
また、媒体保持板と媒体トレイと排出トレイは、少なくとも記録ヘッドによるインクの吐出時または排出トレイに第二の記録媒体が排出される時にはインクジェット記録装置の内部に収納される構成としてもよい。
【００２０】
また、媒体保持板は媒体トレイの上方に設けられ、排出トレイは媒体保持板と媒体トレイとの間に設ける構成としてもよい。
【００２１】
また、ローディング機構は、前記媒体保持板を水平方向に略９０°回転させることにより前記媒体保持板の前記第二の方向に沿った搬送を行なう構成としてもよい。
【００２２】
また、ローディング機構は、媒体保持板を支持するガイド部、及び、ガイド部に設けられてピニオンと噛合する円弧状ギア部を備え、ピニオンと円弧状ギア部とが噛合してガイド部が水平方向に略９０°回転することにより媒体保持板がガイド部と共に第二の方向に沿って搬送され、ピニオンと媒体保持板に設けられたギアとが噛合して媒体保持板がガイド部に対して摺動することにより媒体保持板が第一の方向に沿って搬送される構成としてもよい。
【００２３】
また、ローディング機構は、媒体保持板を支持するガイド部、及び、ガイド部に設けられてピニオンと噛合する直線状ギア部を備え、ピニオンと直線状ギア部とが噛合してガイド部が媒体保持板と共に第二の方向に沿って搬送され、ピニオンと媒体保持板に設けられたギアとが噛合して媒体保持板がガイド部に対して摺動することにより媒体保持板が第一の方向に沿って搬送される構成としてもよい。
【００２４】
以下、本発明の実施の形態について、関連する図面を用いて説明する。なお、これらの図面において実質的に同一の構成や機能を有する部材には同一の符号を付しており、それらに関する重複した説明は省略する。
【００２５】
（実施の形態１）
図１は本発明の実施の形態１におけるインクジェット記録装置を家庭用のテレビラック内に配置した適用例を示す側面から見た概念図であり、テレビ１はラック３の上に設置され、ラック３には開閉可能なガラス扉５が設けられている。
【００２６】
ラック３内にはビデオデッキ（ＶＣＲ）７、ＤＶＤレコーダー９、及び、実施の形態１におけるインクジェット記録装置１０が積層された状態で配置されている。
【００２７】
後述する、排出トレイとしての排紙トレイ１２は、操作者によるＣＤやＤＶＤディスク等の光記録媒体の載置、排紙の取り出し等が可能となるよう、インクジェット記録装置１０から外部へ突出した状態が図示されている。
【００２８】
図２は排紙トレイ１２が収納された状態における本発明の実施の形態１にかかるインクジェット記録装置１０の外観を示す正面斜視図、図３は排紙トレイの一部が装置外部へ突出した状態（以下、「排紙トレイオープン位置」という）におけるインクジェット記録装置１０の外観を示す正面斜視図、図４は排紙トレイ１２を最大に引き出した状態（以下、「排紙トレイ最大引き出し位置」という）におけるインクジェット記録装置１０の外観を示す正面斜視図、図５は排紙トレイ最大引き出し位置において排紙１４を取り出すためにトレイガイド１６を上方へ引き上げた状態におけるインクジェット記録装置１０の外観を示す正面斜視図である。
【００２９】
図２乃至図５において、インクジェット記録装置１０の主操作面（前面）には電源スイッチや排紙トレイオープンスイッチ等のオン・オフ式の各種スイッチ１７とこれらスイッチ１７の状態を示す各種インジケーターランプ１８が複数設けられている。
【００３０】
インク交換用カバー１９は、インクカートリッジ２４を交換する際に図２に示すように開けて使用する。
【００３１】
トレイガイド１６は排紙トレイ１２上に一体的に設けられており、トレイガイド１６には媒体保持板としてのディスクトレイ２０をガイドするためにガイド部７２が形成されている。
【００３２】
トレイガイド１６上にはディスクトレイ２０が載置され、更にディスクトレイ２０上には第一の記録媒体としてのＤＶＤディスク２２が後述する所定の場所に位置決めされて載置されている。
【００３３】
トレイガイド１６と、ディスクトレイ２０と、ＤＶＤディスク２２との関係を示す部分拡大図を図１８に示す。
【００３４】
図６は本発明の実施の形態１におけるインクジェット記録装置１０内の要部を示す要部斜視図であり、インクカートリッジ２４、及び、インクカートリッジ２４からインクが供給される記録ヘッド３０（図８）が設けられたキャリッジ２６がキャリッジシャフト２８および２９に支持されてキャリッジ２６の上下方向の高さが調節可能となっているとともに、図示しないタイミングプーリとタイミングベルト等の動力伝達手段を介して図示しないキャリッジモータにより駆動されて主走査方向（シャフト２８、２９に平行な方向）に往復動自在に設けられている。
【００３５】
インクカートリッジ２４、キャリッジ２６、記録ヘッド３０等、印刷に必要な具体的な構成は、例えば特願２００２−０３８１１７（同一出願人により平成１４年２月１５日提出）に開示されたものを採用してもよい。
【００３６】
押圧部材としてのプラスチック板３２は、コイルスプリング３４により、前面方向へ排紙トレイ１２を押圧しており、給紙カセット４０にも同様なプラスチック板とコイルスプリング（図示せず）が設けられている。
【００３７】
ディスクトレイ２０の端部に設けられたギア部３８とモータ３６に設けられたピニオン３５が係合することにより、モータ３６の駆動力がディスクトレイ２０に伝達され、ＤＶＤディスク２２を保持したディスクトレイ２０はキャリッジシャフト２８、２９と直角方向（第一の方向）に搬送される。
【００３８】
トレイガイド１６に設けられたガイド部７２の一部には図９（Ａ）に示す係合用切り欠き部３９が形成されており、この係合用切り欠き部３９において、モータ３６に設けられたピニオン３５がディスクトレイ２０の端部に設けられたギア部３８と係合する。
【００３９】
尚、モータ３６のピニオン３５とギア部３８の間に、図９（Ｂ）に示すようにトレイガイド１６上にアイドルギア３７を介するようにしてもよい。
【００４０】
この場合、アイドルギア３７の軸心とピニオン３５の軸心は、主走査方向（第二の方向）と直角な方向にずらして設けるようにすれば、トレイガイド１６が移動してアイドルギア３７とピニオン３５とが接触する際、アイドルギア３７の歯とピニオン３５の歯が斜めから当たるように噛合するため、確実な噛合が可能となる。
【００４１】
次に、図７乃至図２１を用いて本実施の形態におけるインクジェット記録装置１０の詳細な構成と作動概要を説明する。
【００４２】
図７及び図８には、操作者が主操作面からの操作により図４、図５、図１０に示される排紙トレイ１２の外部への突出が最大の状態（排紙トレイ最大引き出し位置）にて第一の記録媒体としてのＤＶＤディスク２２を媒体保持板としてのディスクトレイ２０上に載置した後、手動もしくは図示しない電動モータにて排紙トレイ１２をインクジェット記録装置１０の内部に格納した状態（図２）にて印刷待機中の状態（以下、このディスクトレイ２０の位置を「待機位置」という）が示してある。
【００４３】
また、図３、図９（Ａ）には、排紙トレイ１２の一部が外部へ突出した状態（排紙トレイオープン位置）が示してある。
【００４４】
まず、給紙カセット４０内の記録用紙４１への印刷を説明する。
【００４５】
排紙トレイ１２と同様に前面からインクジェット記録装置１０の内部に収納された媒体トレイとしての給紙カセット４０内には、第二の記録媒体としての記録用紙４１がセットされており、記録用紙４１はシャフト４２に支持されたピックアップローラ４３により１枚ずつピックアップされる。
その後、ピックアップされた記録用紙４１は、双方とも時計方向に回転する給紙ローラ４５、４７により搬送され、シャフト４８に支持されたＵターンローラ５０へと搬送される。
【００４６】
尚、シャフト４６及び給紙ローラ４７は、図１７に示すように給紙カセット４０に設けられている。
【００４７】
Ｕターンローラ５０にて搬送方向が反転した記録用紙４１は、ピンチローラ５２と搬送ローラとしてのメインローラ５４間で更なる搬送力を得る。
【００４８】
記録用紙の搬送精度を決定するメインローラ５４は、回転精度を測定するロータリーエンコーダ（図示せず）を同軸上に有している。
【００４９】
このロータリーエンコーダは、インクカートリッジ２４や記録用紙の挿抜を妨げない位置に設けられることが望ましい。
【００５０】
ピンチローラ５２とメインローラ５４間を通った記録用紙４１は、記録ヘッド３０から吐出されるインクにより所定の画像が記録された後、複数個の排紙ローラ５６、５８と拍車６０、６２、６４の間を通り、排紙トレイ１２内へ排出される。
【００５１】
複数個の拍車６０はシャフト６６に、複数個の拍車６２はシャフト６８に、複数個の拍車６４はシャフト７０に各々支持されており、記録ヘッド３０から記録用紙４１上へ吐出されるインクに触れる面積を出来るだけ小さくしてインク汚れを防止するために拍車６０、６２、６４が使用される。
【００５２】
次に、ディスクトレイ２０上に保持されたＤＶＤディスク２２への印刷を説明する。
【００５３】
図７、図８に示される待機位置においてモータ３６が時計回りに回転すると、ピニオン３５とギア３８との係合によりディスクトレイ２０は、トレイガイド１６に設けられたガイド部７２に沿ってキャリッジシャフト２８、２９に向かう方向へ搬送され、図１１、図１２に示されるようにディスクトレイ２０の先端部７４がピンチローラ５２とメインローラ５４間に達する状態（以下、このディスクトレイ２０の位置を「ディスクトレイ引き込み位置」という）となる。
【００５４】
また、待機位置からディスクトレイ引き込み位置に搬送される際を含め、記録用紙４１への印刷時以外のときには、後述する拍車切り替え機構により拍車６０、６２、６４は自動的に上方へ移動し（図１２）、拍車６０、６２、６４によってＤＶＤディスク２２が傷つかないようにしている。
【００５５】
尚、Ｕターンローラ５０、メインローラ５４、排紙ローラ５６、５８は連動して駆動され、ディスクトレイ２０の搬送方向に応じて回転方向が切り替えられるようになっている。
【００５６】
ディスクトレイ２０がモータ３６により搬送される領域（第一の領域）を通過し、ディスクトレイ２０の先端部７４がピンチローラ５２とメインローラ５４間に達するとピンチローラ５２が降りてきて、それから先の領域（第二の領域）におけるディスクトレイ２０の搬送はピンチローラ５２とメインローラ５４により行なわれ、図１３、図１４に示されるようにＤＶＤディスク２２の後端部７６が記録ヘッド３０よりもＵターンローラ５０側に位置する状態（以下、このディスクトレイ２０の位置を「印刷開始位置」という）となる。
【００５７】
その後、印刷開始位置からディスクトレイ２０は第一の領域の方向へピンチローラ５２とメインローラ５４により搬送されながら、記録ヘッド３０によるＤＶＤディスク２２への印刷が行なわれる。
【００５８】
記録ヘッド３０によるＤＶＤディスク２２への印刷、及び、ピンチローラ５２とメインローラ５４による第一の領域の方向への搬送が終わると、図１５、図１６に示すようにディスクトレイ２０は第一の領域へ移動し（以下、図１５、図１６に示すディスクトレイ２０の位置を「印刷終了位置」という）、再びモータ３６により待機位置まで搬送される。
【００５９】
尚、ディスクトレイ２０の表面とＤＶＤディスク２２の表面とは、高さを一致させることが搬送ムラ防止の観点から望ましい。
【００６０】
本実施の形態においては、ＤＶＤディスク２２への印刷終了後は、図７、図８に示す待機位置までディスクトレイ２０を搬送し、インジケーターランプ１８により印刷終了を操作者へ知らせるようにしたが、インジケーターランプ１８により印刷終了を知らせる代わりに、排紙トレイオープン位置、もしくは排紙トレイ最大引き出し位置へ自動的に図示しないモータにより移動させることにより、操作者へ印刷終了を知らせるようにしてもよい。
【００６１】
また、これに代え、印刷終了後は印刷終了位置に留まり、操作者がスイッチ１７の１つを操作することにより、モータ３６と図示しない他のモータによって自動的にディスクトレイ２０が外部へ出てくるようにしてもよい。
【００６２】
図１９乃至図２１に、キャリッジ２６、ピンチローラ５２、及び、拍車６０、６２、６４の移動機構（ピンチローラ距離変更機構）の要部を示す。
【００６３】
尚、拍車６４は説明の便宜上、省略してある。
【００６４】
図１９、図２３は待機状態における位置を示しており、記録ヘッド３０、キャリッジ２６、ピンチローラ５２、及び、拍車６０、６２は、記録用紙４１への印刷時と同じ位置（以下、この位置を「普通紙印刷位置」という）にあり、この位置において記録ヘッド３０、キャリッジ２６、ピンチローラ５２、及び、拍車６０、６２は一番低くなる。
【００６５】
シャシー側板１１にはギア８０が設けられ、このギア８０は大径ギア部８２と小径ギア部８４を有している。
【００６６】
シャシー側板１１にはギア８６が設けられ、ギア８６は、ギア８６の回転中心から偏心した位置でキャリッジシャフト２８を保持し、また、ギア８６はギア８０の大径ギア部８２と係合する。
【００６７】
ギア８０の小径ギア部８４はギア９２と係合し、ギア９２はカム９１を有するギア９０と係合する。
【００６８】
ピンチローラホルダ９４は、その先端部にピンチローラ５２を回転自在に保持しており、ギア９０のカム９１とピンチローラホルダ９４の当接状態に応じてピンチローラ５２が上下に移動する。
【００６９】
一方、ギア８６はリンク機構９６を介して拍車６０、６２と連動する。
【００７０】
かかる構成において、図示しないモータによりギア８０、ギア８６が回転すると、キャリッジシャフト２８、２９が図の上方へ移動すると、それと共にキャリッジ２６と記録ヘッド３０も上方へ移動する。
【００７１】
これに伴い、ギア９２、９０も回転し、図２０に示すようにピンチローラ５２は図の上方へ移動する。
【００７２】
また、リンク機構９６を介して拍車６０、６２、６４も上方へ移動する。
【００７３】
ディスクトレイ引き込み位置においては、キャリッジ２６、ピンチローラ５２、及び、拍車６０、６２、６４はこの図２０に示す位置（以下、この位置を「ディスク引き込み位置」という）にある。
【００７４】
これにより、ディスクトレイ２０が第一の領域から第二の領域に移動する際にディスクトレイ２０が記録ヘッド３０、ピンチローラ５２、及び、拍車６０、６２、６４に衝突せずにスムーズに第二の領域に搬送され、拍車６０、６２、６４によりＤＶＤディスク２２の表面が傷つけられることも防止することができる。
【００７５】
ここで、ディスクトレイ２０の先端部７４がピンチローラ５２の下を通過したのを検知したら、図２１に示すようにピンチローラ５２が下降し、ディスクトレイ２０と当接し（図２１に示す位置を以下、「ディスク印刷位置」という）、第二の領域におけるディスクトレイ２０の搬送は、ピンチローラ５２とメインローラ５４により行なわれることとなる。
【００７６】
印刷開始位置、印刷中、及び、印刷終了位置においては、ピンチローラ距離変更機構はディスク印刷位置にあるため、記録ヘッド３０はディスクトレイ２０またはＤＶＤディスク２２に対して最適な高さまで上昇した状態で拍車６０、６２、６４も連動して上昇しており、印刷直後のＤＶＤディスク２２に拍車６０、６２、６４が接触しないので、ＤＶＤディスク２２の表面が傷つけられることもない。
【００７７】
尚、印刷時において、ピンチローラ距離変更機構に連結された記録ヘッド３０とＤＶＤディスク２２および記録用紙４１との距離は、ピンチローラ距離変更機構により一定に保持されるため、常に最適な印刷状態を得ることができる。
【００７８】
次に、図２２乃至図３０を用いて上記構成とした本実施の形態におけるインクジェット記録装置１０の詳細な作動を説明する。
【００７９】
図２２は本実施の形態におけるインクジェット記録装置１０の作動を説明するためのフローチャートである。
【００８０】
まず、操作者がガラス扉５を開けて電源を入れると、ディスクトレイ２０が待機位置で待機する。
【００８１】
待機位置でのキャリッジ２６、ピンチローラ５２、及び、拍車６０、６２、６４の位置は図２３に示す普通紙印刷位置にある。
【００８２】
尚、拍車６４は拍車６０、６２より少し低い位置に設けてあるため、給紙カセットの記録用紙４１に印刷する場合、印刷後の記録用紙４１が拍車６０、６２を通過後、拍車６４により若干下向きに搬送されるため、スムーズに排紙トレイ１２中へ排出される。
【００８３】
次に、操作者が排紙トレイオープンスイッチ１７をオンすると排紙トレイ１２が図３及び図９（Ａ）に示す排紙トレイオープン位置まで飛び出す。
【００８４】
そこで操作者は排紙トレイ１２を排紙トレイ最大引き出し位置まで引き出し、ディスクトレイ２０にＤＶＤディスク２２を載置した後、排紙トレイ１２をインクジェット記録装置１０内へ押し込む。
【００８５】
尚、排紙トレイ１２内の排紙（印刷完了後の記録用紙４１）を取り出す際は、図５に示すようにディスクトレイ２０を上へ持ち上げた状態で取り出す。
【００８６】
印刷指示があると、インクジェット記録装置１０内に設けられたセンサ（図示せず）はディスクトレイ２０上のＤＶＤディスク２２の有無を判別し、ＤＶＤディスク２２が無いと判断すれば、そのままの状態、すなわち図７、図８に示す待機位置で待機する。
【００８７】
ＤＶＤディスク２２が有ると判断すれば、ディスクトレイ２０またはＤＶＤディスク２２の厚さに応じて記録ヘッド３０および拍車６０、６２、６４が図２４に示すディスク印刷位置まで上昇すると共に、ピンチローラ５２も図２５に示すディスク引き込み高さまで上昇し、図２０、図２５に示すディスク引き込み位置となる。
【００８８】
その後、ディスクトレイ２０が記録ヘッド３０の方向へ搬送されてディスクトレイ２０の先端部７４が図２６に示すようにピンチローラ５２の下を通過したと判断すると、図２７に示すようにピンチローラ５２が下降してディスクトレイ２０をそのまま搬送し続ける。
【００８９】
その後、ディスクトレイ２０が図１３、図１４、図２８に示す印刷開始位置へ移動した後、ＤＶＤディスク２２への印刷が開始される（図２９）。
【００９０】
ディスクへの印刷が終了するとディスクトレイ２０は図１５、図１６に示す印刷終了位置へ搬送される。
【００９１】
この際、ディスクトレイ２０の先端部７４がピンチローラ５２の下を通過後、図示しないばねの押圧力によりピンチローラ５２は自動的に図３０に示す位置へ下降する。
【００９２】
その後、ディスクトレイ２０はモータ３６により待機位置まで搬送され、待機位置にて待機状態となり、記録ヘッド３０および拍車６０、６２、６４を、給紙カセット４０の記録用紙への印刷時における位置、すなわち図８、図２３に示す普通紙印刷位置へ戻す。
【００９３】
この待機状態において操作者が排紙トレイオープンスイッチ１７をオンすると排紙トレイ１２が図３及び図９（Ａ）に示す排紙トレイオープン位置まで飛び出す。
【００９４】
そこで操作者は排紙トレイ１２を排紙トレイ最大引き出し位置まで引き出し、ディスクトレイ２０上の印刷済みＤＶＤディスク２２を取り出した後、排紙トレイ１２を完全に押し込む。
【００９５】
その後、再び待機位置にて待機する。
【００９６】
本実施の形態の変形例を図３１と図３２に示す。
【００９７】
図３１に示す変形例が第一実施の形態と異なる点は、ＤＶＤディスク２２への印刷完了後にディスクトレイ２０が待機位置へ移動した後、操作者が排紙トレイオープンスイッチ１７をオンしなくても、自動的に排紙トレイ１２が排紙トレイオープン位置まで飛び出すようにした点である。
【００９８】
また、図３２に示す他の変形例が第一実施の形態と異なる点は、ＤＶＤディスク２２への印刷完了後にディスクトレイ２０が待機位置へ移動した後、ＤＶＤディスク２２上のインクを乾燥させるために一定時間（例えば１０秒以上）が経過するまで待機位置で待機した後、自動的に排紙トレイ１２が排紙トレイオープン位置まで飛び出すようにした点である。
【００９９】
以上説明したように、本発明の第一実施の形態によれば、操作者により前面においてＤＶＤディスク２２が載置されたディスクトレイ２０は、まず記録ヘッド３０の主走査方向に沿ってインクジェット記録装置１０の内部に収納された後、主走査方向と直角方向に搬送されて印刷されるため、主走査方向と直角をなす方向からＤＶＤディスク２２を載置する場合と比較して主走査方向と直角をなす方向におけるインクジェット記録装置１０の体格を小さくすることができる。
【０１００】
更に、操作者がＤＶＤディスク２２を挿抜したり、排紙を取り出したりする時以外は、ディスクトレイ２０はインクジェット記録装置１０の内部に収納されており、且つ、ＤＶＤディスク２２の挿抜、排紙の取り出し、給紙カセットの挿抜等、全ての操作を主操作面において行なえるため、操作者はテレビラック等のガラス扉５を閉じたままでも印刷を実行することができ、インクジェット記録装置１０を家庭内のテレビラック等の中にコンパクトに収納することが可能となる。
【０１０１】
また、主走査方向と直角をなす方向にディスクトレイ２０を搬送する際、モータ３６により搬送を行なう第一の領域と、ピンチローラ５２とメインローラ５４により搬送を行なう第二の領域を設けたため、主走査方向と直角をなす第一の方向へのディスクトレイの搬送が確実に行われる。
【０１０２】
更に、モータ３６により搬送を行なう第一の領域とピンチローラ５２とメインローラ５４により搬送を行なう第二の領域を一部オーバーラップさせると、第一の領域における搬送と第二の領域における搬送がスムーズに継続される。
【０１０３】
また、第二の記録媒体としての記録用紙への印刷時には、記録ヘッド３０から吐出されるインクにより所定の画像が記録された後、排紙ローラ５６、５８と拍車６０、６２、６４の間を通り、排紙トレイ１２内へ排出されるが、排紙トレイ１２はトレイガイド１６と給紙カセット４０との間に平行に設けられて空間を有効に利用しているため、インクジェット記録装置１０の体格を小さくすることができる。
【０１０４】
尚、排紙トレイ１２は、本実施の形態のようにトレイガイド１６と給紙カセット４０との間に設けるのが最も望ましいが、これに限られず、代わりに給紙カセットの下方、もしくはトレイガイド１６の上方に排紙するようにしてもよい。
【０１０５】
また、図１９乃至図２１に示すピンチローラ距離変更機構によりピンチローラ５２の高さを変更可能とすることにより、ディスクトレイ２０の搬送系の一部と記録用紙４１の搬送系の一部、すなわち、ピンチローラ５２とメインローラ５４を共用することができ、装置全体の体格を小さくすることが可能となり、その結果、インクジェット記録装置１０を家庭内のテレビラック等の中にコンパクトに収納することが可能となる。
【０１０６】
尚、ピンチローラ５２の高さは、印刷対象物の厚さに応じて事前に設定しておいてもよいし、図示しないセンサにて印刷対象物の厚さを検知し、この厚さに応じてピンチローラ５２の高さを自動的に調節するようにしてもよい。
【０１０７】
また、図１９乃至図２１に示すピンチローラ距離変更機構により、ピンチローラ５２の高さの切り替えに連動して記録ヘッド３０と拍車６０、６２、６４も高さが調節されるため、個別に駆動機構を設ける必要がなく、装置の小型化が可能となる。
【０１０８】
尚、第一実施の形態における第一の記録媒体としてＤＶＤディスク２２を示したが、インクジェット記録装置より小さなものであって、所定の形状を有するディスクトレイ２０に載置されるものであれば、他のものでもよく、例えば、ＣＤ等の光記録媒体、フレキシブルディスク等の磁気記録媒体、ＩＣカードや半導体メモリー等の電子記録媒体、クレジットカードやキャッシュカード等のプラスチックカード、名札ケース等の樹脂製固形物、アルミ板等の金属製固形物を第一の記録媒体として使用することができる。
【０１０９】
また、排紙トレイ１２の上部には、ガイド部としてのトレイガイド１６が形成され、ディスクトレイ２０が主走査方向と平行な第二の方向へ移動する際にはディスクトレイ２０はトレイガイド１６に保持・固定され、ディスクトレイ２０が主走査方向と直角な第一の方向へ移動する際にはトレイガイド１６は動かずにディスクトレイ２０のみが移動する構成としたので、第一の方向へのＤＶＤディスク２２の移動はディスクトレイ２０のみを搬送し、第二の方向へのＤＶＤディスク２２の移動はトレイガイド１６のみを駆動させればよいため、ディスクトレイ２０の移動を異なる（直角な）２方向に分割してコンパクトに行なうことが可能となり、併せてラック前面からの操作も可能となる。
【０１１０】
（実施の形態２）
次に、図３３乃至図４９を用いて本発明の実施の形態２におけるインクジェット記録装置１００について説明する。
【０１１１】
本発明の実施の形態２以降の実施の形態における図面において実質的に同一の構成や機能を有する部材には同一の符号を付しており、それらに関する説明は省略する。
【０１１２】
図３３は本発明の実施の形態２におけるインクジェット記録装置１００内の要部を示す要部斜視図であり、実施の形態１と大きく異なるのは、ガイド部としてのトレイガイド１０２が排紙トレイ１２０と一体ではなく、トレイガイドホルダー１２２に支持されている点と、トレイガイド１０２がモータ１０６に設けられたピニオン１０７およびトレイガイド１０２に設けられたラック１０４によりキャリッジシャフト２８、２９と平行方向に駆動される点と、第一の領域におけるキャリッジシャフト２８、２９と直行する方向へのディスクトレイ１０８の搬送が媒体保持板搬送ローラとしてのトレイ搬送ローラ１１６および内部にばね機構を有するローラ軸１１０に連結された補助ローラ１１２により行なわれる点である。
【０１１３】
その他の点は、基本的に前記実施の形態１と同様である。
【０１１４】
次に、図３３乃至図４９に示す実施の形態２におけるインクジェット記録装置１００の作動を図４９に沿って説明する。
【０１１５】
図４９に示すように、まず操作者が電源を投入すると、図３５乃至図３７に示す待機位置にてディスクトレイ１０８を乗せたトレイガイド１０２が待機状態となる。
【０１１６】
次に、操作者が図示しないディスクローディングスイッチを投入すると、モータ１０６の駆動によりトレイガイド１０２が図３８、図３９に示すディスク着脱位置へ移動する。
【０１１７】
ここで操作者はＤＶＤディスク２２をトレイガイド１０２上のディスクトレイ１０８の上に載置し、ディスクローディングスイッチを再び投入するとトレイガイド１０２が待機位置へ移動する。
【０１１８】
このとき、補助ローラ１１２と図示しないモータにより駆動されるトレイ搬送ローラ１１６には、図３４に示すように各々テーパ１１４、１１８が形成されているため、ディスクトレイ１０８はスムーズに補助ローラ１１２とトレイ搬送ローラ１１６との間に配置される。
【０１１９】
そして、記録ヘッド３０および拍車６０、６２がディスク印刷位置まで上昇すると共に、ピンチローラ５２もディスク引き込み高さまで上昇する。
【０１２０】
また、トレイ搬送ローラ１１６の駆動力により、ディスクトレイ１０８を記録ヘッド３０の方向へ搬送し、図４０、図４１、図４２に示すディスク引き込み開始位置へ到達する。
【０１２１】
ここで、ディスクトレイ２０の先端部７４がピンチローラ５２の下を通過したと判断すると、ピンチローラ５２が下降する。その後、ディスクトレイ１０８が図４３、図４４、図４５に示す印刷開始位置へ移動した後、ＤＶＤディスク２２への印刷が開始される。
【０１２２】
ＤＶＤディスク２２への印刷が終了するとディスクトレイ１０８は図４６、図４７、図４７、図４８に示す印刷終了位置へ搬送される。
【０１２３】
この後、ディスクトレイ１０８は図３５、図３６、図３７に示す待機位置へ搬送され、待機状態となる。
【０１２４】
この待機状態において操作者がディスクローディングスイッチを投入したと判断すると、インクジェット記録装置１００に備えられた図示しないコンピュータは、ＤＶＤディスク２２への印刷終了後、所定時間（例えば１０秒）が経過したか否かを判断し、所定時間が経過していないと判断すると待機位置での待機状態を保持し、所定時間が経過したと判断すればディスクトレイ１０８を乗せたトレイガイド１０２を図３８、図３９に示すディスク着脱位置へ移動させ、操作者は印刷後のＤＶＤディスク２２を取り出すことができる。
【０１２５】
この後、操作者がディスクローディングスイッチを投入してトレイガイド１０２を待機位置へ戻すと、インクジェット記録装置１００に備えられた図示しないセンサーが、ディスクトレイ１０８上に新たなＤＶＤディスク２２が有るか無いかを検知し、ＤＶＤディスク２２が有ると判断すればピンチローラ５２をディスク引き込み高さまで上昇させ、以後、同様の印刷を実行するが、新たなＤＶＤディスク２２が無いと判断すれば、記録ヘッド３０、ピンチローラ５２、及び、拍車６０、６２を普通紙印刷位置へ移動させ、ディスクトレイ１０８を待機位置で保持する。
【０１２６】
以上説明したように、本実施の形態によれば、実施の形態１の効果に加え、操作者が排紙トレイ１２０を手動で排紙トレイを引き出したり押し込んだりしなくてもディスクトレイ１０８を乗せたトレイガイド１０２がモータ１０６により駆動されるため、操作者の利便性が向上するという効果を奏する。
【０１２７】
また、排紙トレイ１２０とディスクトレイ１０８を別個独立して操作することができるという効果もある。
【０１２８】
尚、本実施の形態において、記録ヘッド３０の主走査方向と直交する方向（第一の方向）への記録媒体の搬送をトレイ搬送ローラ１１６（媒体保持板搬送ローラ）により行なったが、トレイ搬送ローラ１１６による搬送に代えて、本発明の第一実施の形態で示したギアとピニオンによる搬送としてもよい。
【０１２９】
（実施の形態３）
次に、図５０乃至図８０に示す本発明の実施の形態３におけるインクジェット記録装置２００について説明する。
【０１３０】
実施の形態３が実施の形態２と大きく異なる点は、ディスクトレイを出し入れする際に９０°回転させる点である。
【０１３１】
図５０及び図５１は本発明の実施の形態３におけるインクジェット記録装置２００内の要部を示す要部斜視図であり、図５０には説明の便宜上、図５１におけるトレイガイド支持プレート２０４を省略したものが示してある。
【０１３２】
尚、図５１、図６６、図６７、図７０、図７１以外の図面においては図５０と同様に説明の便宜上、トレイガイド支持プレート２０４が省略されている。
【０１３３】
このトレイガイド支持プレート２０４はインクジェット記録装置２００のハウジングに固定されており、円弧状のスリット２０５が形成されている。
【０１３４】
ＤＶＤディスク２２を載置するディスクトレイ２０８を保持するトレイガイド２０９は、Ｌ状のフック部２１４及び２１２を有し、フック部２１４はトレイガイド支持プレート２０４のスリット２０５上に引っ掛けられた状態でスリット２０５上を摺動可能に設けられている。
【０１３５】
トレイガイド２０９は更に、ピン２２６によりトレイガイド支持プレート２０４に回動可能に連結されている。
【０１３６】
また、トレイガイド２０９は図５３乃至図５６に示すように、トレイガイド２０９の本体部分からコの字状に延びたギア部２１０を有しており、このギア部２１０はモータ２０６のピニオン２２４（図５７乃至図６２参照）と噛合する。
【０１３７】
ディスクトレイ２０８には、図５２にも示すように円弧状の凹部２２０が形成され、その上方にギア部２１６が形成されている。
【０１３８】
図５７乃至図６２に示すように、モータ２０６のピニオン２２４とギア部２１０、２１６との噛合の際、ギア部２１０の端２本の歯２２２とギア部２１６の端２本の歯２１８がオーバーラップしてピニオン２２４と噛合する。
【０１３９】
インクジェット記録装置２００のハウジングに設けられたコイルばね２０２は、ディスクトレイ２０８が所定の位置に来た際にディスクトレイ２０８に接触して、ディスクトレイ２０８をキャリッジシャフト２８、２９の方向へ付勢する。
【０１４０】
図６３乃至図６５に示すように、インクジェット記録装置２００のハウジングには支持シャフト２３４が固定され、支持シャフト２３４にはばねを内蔵したアーム２３２を介してディスク送りローラ２３０が２つ設けられている。
【０１４１】
ディスク送りローラ２３０は常時、排紙ローラ５６、５８と接触しないようにディスクトレイ２０８の厚さより小さな隙間を持って排紙ローラ５６、５８と対峙している。
【０１４２】
ディスクトレイ２０８への印刷時には、図６５に示すように拍車６０、６２が上昇した状態でディスクトレイ２０８がアーム２３２のばね力に抗してディスク送りローラ２３０と接触することにより、排紙ローラ５６、５８の正転・逆転がディスクトレイ２０８へ伝達され、第二の領域でのディスクトレイ２０８の搬送が行なわれる。
【０１４３】
一方、第二の記録媒体としての記録用紙（普通紙）４１に印刷する場合には図６４に示すように拍車６０、６２を下降させた状態で行い、拍車６０、６２が印刷直後の記録用紙表面に接触することにより、排紙ローラ５６、５８の駆動力により記録用紙４１を搬送（排出）する。
【０１４４】
このとき、記録用紙４１とディスク送りローラ２３０は接触しない。
【０１４５】
インクジェット記録装置２００を小型化しようとすると必然的にギア部２１６の長さも短くしなければならず、その場合にはモータ２０６のピニオン２２４とギア部２１６との噛合だけでは、ＤＶＤディスク２２の印刷時にディスクトレイ２０８をピンチローラ５２とメインローラ５４のところまで搬送できない場合が考えられるため、ディスク送りローラ２３０を設けて排紙ローラ５６、５８の正転・逆転を利用することによりディスクトレイ２０８を搬送し、かかる問題点を解決した。
【０１４６】
尚、図６３乃至図６５に示した支持シャフト２３４、アーム２３２、及び、ディスク送りローラ２３０は説明の便宜上、他の図面においては省略してある。
【０１４７】
次に、実施の形態３におけるインクジェット記録装置２００の作動を図８０に示すフローチャートに沿って説明する。
【０１４８】
まず、操作者が電源を投入すると、図６６乃至図６９に示す待機位置にてディスクトレイ２０８を乗せたトレイガイド２０９が待機状態となる。
【０１４９】
次に、操作者が図示しないディスクローディングスイッチを投入すると、モータ２０６の駆動によりモータ２０６に接続されたピニオン２２４とギア部２１０が噛合し、トレイガイド２０９が図７０乃至図７３に示すディスク着脱位置へ移動する。
【０１５０】
次に、操作者はＤＶＤディスク２２をトレイガイド２０９上のディスクトレイ２０８の上に載置し、ディスクローディングスイッチを再び投入するとトレイガイド２０９が待機位置へ移動する。
【０１５１】
この際のトレイガイド２０９の動きを模式的に表したものを図５７乃至図６２に示す。
【０１５２】
モータ２０６の駆動によりトレイガイド２０９がディスク着脱位置から待機位置の方へ移動していくと、図５７の位置でコイルばね２０２がディスクトレイ２０８に接触する。
【０１５３】
モータ２０６が回転して更にトレイガイド２０９を待機位置の方へ移動させると、コイルばね２０２の押圧力によりディスクトレイ２０８が徐々にキャリッジシャフト２８、２９の方向へ押されて移動し（図５９、図６０）、トレイガイド２０９が完全に待機位置へ来ると図６１、図６２に示す状態となる。
【０１５４】
その後、前述の実施の形態２と同様、記録ヘッド３０および拍車６０、６２がディスク印刷位置まで上昇し、ピンチローラ５２もディスク引き込み高さまで上昇する。
【０１５５】
また、モータ２０６の駆動力により、図７４、図７５に示すディスク引き込み開始位置までディスクトレイ２０８を搬送すると、その後は排紙ローラ５８、５６の駆動力によりディスクトレイ２０８をメインローラ５４まで搬送する。
【０１５６】
ここで、実施の形態２と同様、ディスクトレイ２０８の先端部７４がピンチローラ５２の下を通過したと判断すると、ピンチローラ５２が下降する。
【０１５７】
その後、ディスクトレイ２０８が図７６、図７７に示す印刷開始位置へ移動した後、ＤＶＤディスク２２への印刷が開始される。
【０１５８】
その後、ＤＶＤディスク２２への印刷が終了するとディスクトレイ２０８は図７８、図７９に示す印刷終了位置へ搬送される。
【０１５９】
この後、ディスクトレイ２０８は待機位置へ搬送され、待機状態となる。
【０１６０】
この待機状態において操作者がディスクローディングスイッチを投入したと判断すると、インクジェット記録装置２００に備えられた図示しないコンピュータは、ＤＶＤディスク２２への印刷終了後、所定時間（例えば１０秒）が経過したか否かを判断し、所定時間が経過していないと判断すると待機位置での待機状態を保持し、所定時間が経過したと判断すればディスクトレイ２０８を乗せたトレイガイド２０９をディスク着脱位置へ移動させ、操作者は印刷後のＤＶＤディスク２２を取り出すことができる。
【０１６１】
この後、操作者がディスクローディングスイッチを投入してトレイガイド２０９を待機位置へ戻す。
【０１６２】
その後、次の印刷指令が来ると、インクジェット記録装置２００に備えられた図示しないセンサーが、ディスクトレイ２０８上に新たなＤＶＤディスク２２が有るか無いかを検知し、ＤＶＤディスク２２が有ると判断すればピンチローラ５２をディスク引き込み高さまで上昇させ、以後、同様の印刷を実行するが、新たなＤＶＤディスク２２が無いと判断すれば、記録ヘッド３０、ピンチローラ５２、及び、拍車６０、６２を普通紙印刷位置へ移動させ、ディスクトレイ２０８を待機位置で保持する。
【０１６３】
以上説明したように、本実施の形態によれば、実施の形態１の効果に加え、操作者が排紙トレイ１２０を手動で排紙トレイを引き出したり押し込んだりしなくてもディスクトレイ２０８を乗せたトレイガイド２０９がモータ２０６により駆動されるため、操作者の利便性が向上するという効果を奏する。
【０１６４】
更に本実施の形態によれば、主走査方向および主走査方向と直交する方向におけるトレイガイド２０９の搬送を、１個のモータ２０６で行なうことが可能となるため、装置全体を小型化することができる。
【０１６５】
【発明の効果】
以上のように本発明によると、第一の記録媒体を載置する媒体保持板の搬送方向を第一の方向と第二の方向に分離することにより、インクジェット記録装置の第一の方向における小型化が可能となり、家庭内のテレビラック等の中にコンパクトに収納することができる。
【０１６６】
また、媒体トレイ、排出トレイ、媒体保持板への操作はインクジェット記録装置の前面にて全て行なうと共に、インクジェット記録装置の前面における媒体保持板の突出状態と格納状態とを切り替えるローディング機構を設けるため、家庭内のテレビラック等のように収容物の前面にしか開口部がない場所にも設置が可能となる。
【０１６７】
また、媒体トレイと排出トレイと媒体保持板は、各々略平行に設けられるため、インクジェット記録装置の高さ方向における小型化が可能となり、家庭内のテレビラック等の中にコンパクトに収納することができる。
【０１６８】
また、他の発明によれば、媒体保持板は第一の搬送系により、第二の記録媒体は第二の搬送系により各々搬送されるため、第一の記録媒体への印刷と第二の記録媒体への印刷の切り替えが可能となる。
【０１６９】
また、他の発明によれば、第一の搬送系と第二の搬送系は少なくとも１つの搬送ローラを共有するため、構成部品を増やすことなく装置の小型化が可能となる。
【０１７０】
また、他の発明によれば、インクジェット記録装置に設けられたモータと、モータにより駆動されるピニオンと、ピニオンと噛合可能に媒体保持板に設けられたギアを、ローディング機構としたので、操作者の操作が容易となる。
【０１７１】
また、他の発明によれば、ローディング機構は、ピニオンの軸心に対して第一の方向にずれた軸心を有するアイドルギアを、媒体保持板に設けられたギアと前記ピニオンとの間に備える構成としたため、ガイド部が移動してアイドルギアとピニオンとが接触する際、アイドルギアの歯とピニオンの歯が斜めから当たるように噛合し、確実な噛合が可能となる。
【０１７２】
また、他の発明によれば、第一の搬送系は媒体保持板を第一の方向に沿って搬送する媒体保持板搬送ローラを備え、媒体保持板搬送ローラには第二の方向に傾斜するテーパが形成されており、媒体保持板の突出状態から格納状態へ切り替えて媒体保持板と媒体保持板搬送ローラが接触する際に、媒体保持板はテーパに誘導される構成としたので、媒体保持板が突出状態から格納状態へ切り替えられる際に、媒体保持板が媒体保持板搬送ローラの側面にぶつかったりせず、媒体保持板搬送ローラは確実に媒体保持板表面と接触することとなる。
【０１７３】
また、他の発明によれば、第一の搬送系は、搬送ローラと対向するピンチローラと、搬送ローラとピンチローラ間の距離を変更するピンチローラ距離変更機構を備え、媒体保持板が第二の方向に沿った搬送から第一の方向に沿った搬送へ移行した場合において媒体保持板の搬送方向先端部が搬送ローラとピンチローラ間を通過する際に、搬送ローラとピンチローラ間の距離を変更するようにしたので、媒体保持板が第二の方向に沿った搬送から第一の方向に沿った搬送へ移行した場合、すなわち、媒体保持板の待機位置からディスクトレイ引き込み位置へ移動する際に、媒体保持板を確実に搬送ローラとピンチローラ間を通過させることが可能となる。
【０１７４】
また、他の発明によれば、第二の搬送系は拍車を備え、第二の記録媒体の搬送時には拍車と第二の記録媒体とを接触させ、媒体保持板の搬送時には拍車と媒体保持板が非接触となるように拍車を上昇させる拍車切り替え機構を備える構成としたので、第二の記録媒体の搬送時には拍車を第二の記録媒体に接触させて搬送をスムーズに行い、一方、媒体保持板の搬送時には拍車切り替え機構により拍車を上昇させて拍車と媒体保持板が接触しないようにし、媒体保持板上の第一の記録媒体に傷をつけないようにすることが可能となる。
【０１７５】
また、他の発明によれば、記録ヘッドはピンチローラ距離変更機構に連結され、ピンチローラ距離変更機構は第一の記録媒体および第二の記録媒体と記録ヘッドとの距離を一定に保持する構成としたため、種々の厚みを有する複数種類の記録媒体への対応を、操作者の手を煩わせることなく行なえるという効果を奏する。
【０１７６】
また、他の発明によれば、媒体保持板と媒体トレイと排出トレイは、少なくとも記録ヘッドによるインクの吐出時または排出トレイに第二の記録媒体が排出される時にはインクジェット記録装置の内部に収納される構成としたので、記録媒体への印刷時には媒体保持板と媒体トレイと排出トレイがインクジェット記録装置の外部に突出することはなく、従って、インクジェット記録装置を収納するラック等のガラス扉を閉めたままでも印刷を実行することが可能となる。
【０１７７】
また、他の発明によれば、媒体保持板を媒体トレイの上方に設け、排出トレイは媒体保持板と媒体トレイとの間に設ける構成としたため、インクジェット記録装置内部の空間を効率的に利用して装置の小型化が可能となる。
【０１７８】
また、他の発明によれば、ローディング機構は、媒体保持板を支持するガイド部、及び、ガイド部に設けられてピニオンと噛合する円弧状ギア部を備え、ピニオンと円弧状ギア部とが噛合してガイド部が水平方向に略９０°回転することにより媒体保持板がガイド部と共に第二の方向に沿って搬送され、ピニオンと媒体保持板に設けられたギアとが噛合して媒体保持板がガイド部に対して摺動することにより媒体保持板が第一の方向に沿って搬送される構成としたので、媒体保持板がガイド部と共に第二の方向に沿って搬送される間は媒体保持板とガイド部との間には摺動がなく、従って、媒体保持板に対する摺動が低減されるという優れた効果を奏する。
【０１７９】
また、他の発明によれば、ローディング機構は、媒体保持板を支持するガイド部、及び、ガイド部に設けられてピニオンと噛合する直線状ギア部を備え、ピニオンと直線状ギア部とが噛合してガイド部が媒体保持板と共に第二の方向に沿って搬送され、ピニオンと媒体保持板に設けられたギアとが噛合して媒体保持板がガイド部に対して摺動することにより媒体保持板が第一の方向に沿って搬送される構成としたので、媒体保持板がガイド部と共に第二の方向に沿って搬送される間は媒体保持板とガイド部との間には摺動がなく、従って、媒体保持板に対する摺動が低減されるという優れた効果を奏する。
【図面の簡単な説明】
【図１】本発明の実施の形態１におけるインクジェット記録装置を家庭用のテレビラック内に配置した適用例を示す側面から見た概念図
【図２】本発明の実施の形態１におけるインクジェット記録装置の外観を示す正面斜視図
【図３】本発明の実施の形態１におけるインクジェット記録装置の排紙トレイが排紙トレイオープン位置にある場合の外観を示す正面斜視図
【図４】本発明の実施の形態１におけるインクジェット記録装置の排紙トレイが排紙トレイ最大引き出し位置にある場合の外観を示す正面斜視図
【図５】本発明の実施の形態１におけるインクジェット記録装置の排紙トレイ最大引き出し位置においてトレイガイドを上方へ引き上げた状態における外観を示す正面斜視図
【図６】本発明の実施の形態１におけるインクジェット記録装置内の要部を示す要部斜視図
【図７】本発明の実施の形態１の待機位置におけるインクジェット記録装置内部の構成を示す上面図
【図８】図７のＡ−Ａ断面図
【図９】（Ａ）本発明の実施の形態１の排紙トレイオープン位置におけるインクジェット記録装置内部の構成を示す上面図
（Ｂ）図９（Ａ）に示す本発明の実施の形態１の変形例を示す上面図
【図１０】本発明の実施の形態１の排紙トレイ最大引き出し位置におけるインクジェット記録装置内部の構成を示す上面図
【図１１】本発明の実施の形態１のディスクトレイ引き込み位置におけるインクジェット記録装置内部の構成を示す上面図
【図１２】図１１のＡ−Ａ断面図
【図１３】本発明の実施の形態１の印刷開始位置におけるインクジェット記録装置内部の構成を示す上面図
【図１４】図１３のＡ−Ａ断面図
【図１５】本発明の実施の形態１の印刷終了位置におけるインクジェット記録装置内部の構成を示す上面図
【図１６】図１５のＡ−Ａ断面図
【図１７】本発明の実施の形態１におけるインクジェット記録装置の給紙カセットを引き出した際の外観を示す正面斜視図
【図１８】本発明の実施の形態１におけるトレイガイド、ディスクトレイ、ＤＶＤディスクの関係を示す部分拡大断面図
【図１９】本発明の実施の形態１の待機位置におけるキャリッジ、ピンチローラ、拍車の移動機構（ピンチローラ距離変更機構）の要部を示す概念図
【図２０】本発明の実施の形態１のディスクトレイ引き込み位置におけるキャリッジ、ピンチローラ、拍車の移動機構（ピンチローラ距離変更機構）の要部を示す概念図
【図２１】本発明の実施の形態１において印刷中のキャリッジ、ピンチローラ、拍車の移動機構（ピンチローラ距離変更機構）の要部を示す概念図
【図２２】本発明の実施の形態１におけるインクジェット記録装置の作動を説明するためのフローチャート
【図２３】本発明の実施の形態１における普通紙印刷位置のピンチローラ距離変更機構の要部を示す拡大概念図
【図２４】図２３において記録ヘッドと拍車がディスク印刷位置まで上昇した際のピンチローラ距離変更機構の要部を示す拡大概念図
【図２５】図２４においてピンチローラがディスク引き込み高さまで上昇した際のピンチローラ距離変更機構の要部を示す拡大概念図
【図２６】図２５においてディスクトレイ先端がピンチローラの下を通過した際のピンチローラ距離変更機構の要部を示す拡大概念図
【図２７】図２６においてピンチローラが下降した際のピンチローラ距離変更機構の要部を示す拡大概念図
【図２８】図２７においてディスクトレイが印刷開始位置へ搬送された際のピンチローラ距離変更機構の要部を示す拡大概念図
【図２９】図２８においてディスクへ印刷中のピンチローラ距離変更機構の要部を示す拡大概念図
【図３０】図２９においてディスクへの印刷が終了した際のピンチローラ距離変更機構の要部を示す拡大概念図
【図３１】本発明の実施の形態１の第１変形例の作動を説明するためのフローチャート
【図３２】本発明の実施の形態１の第２変形例の作動を説明するためのフローチャート
【図３３】本発明の実施の形態２の待機位置におけるインクジェット記録装置内の要部を示す要部斜視図
【図３４】本発明の実施の形態２における補助ローラとトレイ搬送ローラを示す拡大斜視図
【図３５】本発明の実施の形態２の待機位置におけるインクジェット記録装置内部の構成を示す上面図
【図３６】図３５のＢ−Ｂ断面図
【図３７】図３５のＡ−Ａ断面図
【図３８】本発明の実施の形態２のディスク着脱位置におけるインクジェット記録装置内部の構成を示す上面図
【図３９】図３８のＡ−Ａ断面図
【図４０】本発明の実施の形態２のディスク引き込み開始位置におけるインクジェット記録装置内部の構成を示す上面図
【図４１】図４０のＢ−Ｂ断面図
【図４２】図４０のＡ−Ａ断面図
【図４３】本発明の実施の形態２の印刷開始位置におけるインクジェット記録装置内部の構成を示す上面図
【図４４】図４３のＢ−Ｂ断面図
【図４５】図４３のＡ−Ａ断面図
【図４６】本発明の実施の形態２の印刷終了位置におけるインクジェット記録装置内部の構成を示す上面図
【図４７】図４６のＢ−Ｂ断面図
【図４８】図４６のＡ−Ａ断面図
【図４９】本発明の実施の形態２におけるインクジェット記録装置の作動を説明するためのフローチャート
【図５０】本発明の実施の形態３におけるインクジェット記録装置内の要部を示す要部斜視図
【図５１】図５０にトレイガイド支持プレートを加えた要部斜視図
【図５２】本発明の実施の形態３におけるディスクトレイの上面図
【図５３】本発明の実施の形態３におけるトレイガイドの上面図
【図５４】図５３の側面図
【図５５】図５３の正面図
【図５６】図５３のＦ−Ｆ断面図
【図５７】本発明の実施の形態３において、トレイガイドとディスクトレイがディスク着脱位置から待機位置へ移動する際の動きを模式的に表した部分上面図
【図５８】図５７のピニオンとギアの関係を示す部分拡大図
【図５９】本発明の実施の形態３において、トレイガイドとディスクトレイが図５７に示す位置から更に待機位置方向へ移動した場合を模式的に表した部分上面図
【図６０】図５９のピニオンとギアの関係を示す部分拡大図
【図６１】本発明の実施の形態３の待機位置におけるトレイガイドとディスクトレイの状態を模式的に表した部分上面図
【図６２】図６１のピニオンとギアの関係を示す部分拡大図
【図６３】本発明の実施の形態３におけるディスク送りローラを示す部分上面図
【図６４】本発明の実施の形態３の普通紙印刷時におけるディスク送りローラと拍車の位置を示す概念図
【図６５】本発明の実施の形態３のディスク引き込み開始位置におけるディスク送りローラと拍車の位置を示す概念図
【図６６】本発明の実施の形態３の待機位置におけるインクジェット記録装置内部の構成を示す上面図
【図６７】図６６のＡ−Ａ断面図
【図６８】図６６においてトレイガイド支持プレートを省略した上面図
【図６９】図６８のＡ−Ａ断面図
【図７０】本発明の実施の形態３のディスク着脱位置におけるインクジェット記録装置内部の構成を示す上面図
【図７１】図７０のＡ−Ａ断面図
【図７２】図７０においてトレイガイド支持プレートを省略した上面図
【図７３】図７２のＡ−Ａ断面図
【図７４】本発明の実施の形態３のディスク引き込み開始位置におけるインクジェット記録装置内部の構成を示す上面図
【図７５】図７４のＡ−Ａ断面図
【図７６】本発明の実施の形態３の印刷開始位置におけるインクジェット記録装置内部の構成を示す上面図
【図７７】図７６のＡ−Ａ断面図
【図７８】本発明の実施の形態３の印刷終了位置におけるインクジェット記録装置内部の構成を示す上面図
【図７９】図７８のＡ−Ａ断面図
【図８０】本発明の実施の形態３におけるインクジェット記録装置の作動を説明するためのフローチャート
【符号の説明】
１２　排紙トレイ（排出トレイ）
１４　排紙
１６　トレイガイド
２０　ディスクトレイ（媒体保持板）
２２　ＤＶＤディスク（光記録媒体、第一の記録媒体）
３０　記録ヘッド
３６　モータ（第一の搬送系）
４０　給紙カセット（媒体トレイ）
４１　記録用紙（第二の記録媒体）
４３　ピックアップローラ（第二の搬送系）
４５，４７　給紙ローラ（第二の搬送系）
５２　ピンチローラ（搬送系）
５４　メインローラ（搬送系）
５６，５８　排紙ローラ（搬送系）
６０，６２，６４　拍車（第二の搬送系）
【図１】
2004034637.tif 000003
【図２】
2004034637.tif 000004
【図３】
2004034637.tif 000005
【図４】
2004034637.tif 000006
【図５】
2004034637.tif 000007
【図６】
2004034637.tif 000008
【図７】
2004034637.tif 000009
【図８】
2004034637.tif 000010
【図９】
2004034637.tif 000011
【図１０】
2004034637.tif 000012
【図１１】
2004034637.tif 000013
【図１２】
2004034637.tif 000014
【図１３】
2004034637.tif 000015
【図１４】
2004034637.tif 000016
【図１５】
2004034637.tif 000017
【図１６】
2004034637.tif 000018
【図１７】
2004034637.tif 000019
【図１８】
2004034637.tif 000020
【図１９】
2004034637.tif 000021
【図２０】
2004034637.tif 000022
【図２１】
2004034637.tif 000023
【図２２】
2004034637.tif 000024
【図２３】
2004034637.tif 000025
【図２４】
2004034637.tif 000026
【図２５】
2004034637.tif 000027
【図２６】
2004034637.tif 000028
【図２７】
2004034637.tif 000029
【図２８】
2004034637.tif 000030
【図２９】
2004034637.tif 000031
【図３０】
2004034637.tif 000032
【図３１】
2004034637.tif 000033
【図３２】
2004034637.tif 000034
【図３３】
2004034637.tif 000035
【図３４】
2004034637.tif 000036
【図３５】
2004034637.tif 000037
【図３６】
2004034637.tif 000038
【図３７】
2004034637.tif 000039
【図３８】
2004034637.tif 000040
【図３９】
2004034637.tif 000041
【図４０】
2004034637.tif 000042
【図４１】
2004034637.tif 000043
【図４２】
2004034637.tif 000044
【図４３】
2004034637.tif 000045
【図４４】
2004034637.tif 000046
【図４５】
2004034637.tif 000047
【図４６】
2004034637.tif 000048
【図４７】
2004034637.tif 000049
【図４８】
2004034637.tif 000050
【図４９】
2004034637.tif 000051
【図５０】
2004034637.tif 000052
【図５１】
2004034637.tif 000053
【図５２】
2004034637.tif 000054
【図５３】
2004034637.tif 000055
【図５４】
2004034637.tif 000056
【図５５】
2004034637.tif 000057
【図５６】
2004034637.tif 000058
【図５７】
2004034637.tif 000059
【図５８】
2004034637.tif 000060
【図５９】
2004034637.tif 000061
【図６０】
2004034637.tif 000062
【図６１】
2004034637.tif 000063
【図６２】
2004034637.tif 000064
【図６３】
2004034637.tif 000065
【図６４】
2004034637.tif 000066
【図６５】
2004034637.tif 000067
【図６６】
2004034637.tif 000068
【図６７】
2004034637.tif 000069
【図６８】
2004034637.tif 000070
【図６９】
2004034637.tif 000071
【図７０】
2004034637.tif 000072
【図７１】
2004034637.tif 000073
【図７２】
2004034637.tif 000074
【図７３】
2004034637.tif 000075
【図７４】
2004034637.tif 000076
【図７５】
2004034637.tif 000077
【図７６】
2004034637.tif 000078
【図７７】
2004034637.tif 000079
【図７８】
2004034637.tif 000080
【図７９】
2004034637.tif 000081
【図８０】
2004034637.tif 000082